(57)【特許請求の範囲】
【請求項１】
送液管を通って後方から送られてきた液体を軸線周りに回転させるための螺旋溝が形成されたスクリュー体が、先端壁の中央部分に噴出孔が形成された先端キャップ内に配置された内視鏡用噴霧具において、
上記スクリュー体の先端面が、外周面に上記螺旋溝が複数条形成された半球面の先寄りの部分を軸線に対し略垂直な方向に切り削いだ平面状に形成されると共に、上記先端キャップの内壁面が、上記スクリュー体の半球面が嵌まる半球状に形成されて、
上記スクリュー体の切り削がれた部分が、上記スクリュー体を通った液体を回転させるための液体回転室になっていることを特徴とする内視鏡用噴霧具。
【発明の詳細な説明】
【０００１】
【発明の属する技術分野】
この発明は、体腔内に液体を散布するために内視鏡の処置具挿通チャンネルに挿通して使用される内視鏡用噴霧具に関する。
【０００２】
【従来の技術】
図５は従来の内視鏡用噴霧具を示しており、内視鏡の処置具挿通チャンネルに挿脱される可撓性の液体供給管９１の先端開口部に、外周面に螺旋溝９３が形成されたスクリュー体９２が配置されている。
【０００３】
そして、螺旋溝９３の外面を塞ぐ状態にスクリュー体９２に被せられた先端キャップ９４の内側には、液体供給管９１から螺旋溝９３を通ってその先端から放出された液体が軸線周りに回転をするように、スクリュー体９２の先端面との間に液体回転室９５が形成され、その液体回転室９５の先端面の中心位置に形成された噴出孔９６から前方に向かって液体が噴霧されるようになっている。
【０００４】
【発明が解決しようとする課題】
上述のような従来の内視鏡用噴霧具のスクリュー体９２は、円柱状の素材の外周面に螺旋溝９３を形成したものであり、螺旋溝９３を通過する液体が軸線周りに回転しながら液体回転室９５に送り出される。
【０００５】
したがって、液体回転室９５内に入ってきた液体が液体回転室９５の中心に形成された噴出孔９６から放出されるには、液体回転室９５内で流れの向きを変えなければならないため乱流となり、それによって流れの回転力が減殺されて噴霧状態が不十分になりがちであった。
【０００６】
そこで本発明は、螺旋溝において与えられた回転力が減殺されることなく液体が噴出孔から放出されて、良好な噴霧状態を得ることができる内視鏡用噴霧具を提供することを目的とする。
【０００７】
【課題を解決するための手段】
上記の目的を達成するため、本発明の内視鏡用噴霧具は、送液管を通って後方から送られてきた液体を軸線周りに回転させるための螺旋溝が形成されたスクリュー体の前面側に面して、先端壁の中央部分に噴出孔が形成された液体回転室が配置された内視鏡用噴霧具において、スクリュー体の先側半部を略半球状に形成して、複数条の螺旋溝をスクリュー体の外周面に形成したものである。
【０００８】
なお、スクリュー体の先端部分が前方に向かって尖った形状に形成されていてもよく、その場合、液体回転室の内径が、先側へ向かって滑らかに小さく形成されていてもよい。
【０００９】
また、スクリュー体の先端部分が、液体回転室の軸線に対して略垂直な方向に切り削がれた平面状に形成されていてもよく、その場合、液体回転室の内壁面が、スクリュー体と同じ球面状に形成されていてもよい。
【００１０】
【発明の実施の形態】
図面を参照して本発明の実施の形態を説明する。
図１は、本発明の参考例の内視鏡用噴霧具の先端部分を示しており、図２はそのII−II断面図である。
【００１１】
液体散布を行うための先端ノズル１が、図示されていない内視鏡の処置具挿通チャンネルに挿脱自在な例えば四フッ化エチレン樹脂製の可撓性チューブからなる送液管２の先端に取り付けられている。図示されていない送液管２の手元側端部には、送液管２内に液体を注入するための注入口金が取り付けられている。
【００１２】
先端ノズル１は、送液管２を通って送られてきた液体を軸線周りに回転させるための螺旋溝１５が先側の部分に形成されたノズル本体１１に、略Ｕ字状の断面形状を有するキャップ状に形成された先端キャップ１２が被せられてかしめ固定された構成になっている。
【００１３】
ノズル本体１１の後端寄りの部分には、外周面に雄ネジ部１３が形成されており、その雄ネジ部１３が送液管２の先端にねじ込み接着されて、ノズル本体１１が送液管２の先端に連結固着されている。
【００１４】
ノズル本体１１の先端寄りの部分は、複数条（例えば８条）の螺旋溝１５が形成されたスクリュー体１４になっている。スクリュー体１４の先側の半部は略半球状に形成されていて、中間の最大径部分が先端キャップ１２の内壁面に接している。
【００１５】
図２はその部分の断面形状を示し、図３はスクリュー体１４を先端側から見た形状を示している。スクリュー体１４の後半部分は、図１に示されるように、外径が徐々に細くなる形状に形成されている。
【００１６】
ノズル本体１１の後半部分の軸線位置には、流路孔１６が後端から穿設されていて、ノズル本体１１の中間部分の外周部分に形成された中間環状溝１７に、複数の連通孔１８を介して連通している。
【００１７】
中間環状溝１７は螺旋溝１５の後端部分に直接面している。したがって、送液管２を通って後方から送られてきた液体は、流路孔１６を通り、連通孔１８から中間環状溝１７を経て螺旋溝１５内を通過することにより、軸線周りに回転をする状態になる。
【００１８】
スクリュー体１４の先側部分と先端キャップ１２の先端壁内面との間の空間は、軸線周りに回転しながら複数の螺旋溝１５から送り出されてきた液体が合流して軸線周りに回転する液体回転室２０になっている。
【００１９】
先端キャップ１２の内面の先端部分の角部にあたる部分は滑らかな円弧状の曲面に形成されており、それによって、液体回転室２０の内径が先側へ向かって滑らかに小さくなっている。
【００２０】
先端キャップ１２には、液体回転室２０の先端壁の中央部分を貫通する噴出孔１０が穿設されている。そして、スクリュー体１４の先端部分が噴出孔１０の中心に向かって小さく尖った形状に形成されており、スクリュー体１４にはその先端部分まで螺旋溝１５が形成されている。
【００２１】
したがって、手元側から送液管２内に液体を送り込むと、螺旋溝１５を通過することによって軸線周りに回転しながら液体回転室２０内に送り込まれた液体が、噴出孔１０から放射状の広がりをもって放出（噴霧）される。
【００２２】
そして、スクリュー体１４と液体回転室２０とが上述のような形状に形成されていることから、螺旋溝１５から液体回転室２０内に送り込まれた液体は、流れが滑らかに噴出孔１０に向かうので乱流にならず、螺旋溝１５において与えられた回転力が減殺されることなく噴出孔１０から放出され、強力で良好な噴霧状態を得ることができる。
【００２３】
なお、本発明は例えば図４に示される実施の形態のように、スクリュー体１４の先端部分を、液体回転室２０の軸線に対して略垂直な方向に切り削いだ平面状に形成してもよい。
【００２４】
また、この実施の形態においては、液体回転室２０の内壁面が、スクリュー体１４の先側半部と同じ半球面状に形成されていて、スクリュー体１４が切り削がれた部分が液体回転室２０になっている。
【００２５】
【発明の効果】
本発明によれば、スクリュー体の先側半部を略半球状に形成して、複数条の螺旋溝をスクリュー体の外周面に形成したことにより、螺旋溝から液体回転室内に送り込まれた液体が乱流になることなく滑らかに噴出孔に向かうので、螺旋溝において与えられた回転力が減殺されることなく噴出孔から放出され、良好な噴霧状態を得ることができる。
【図面の簡単な説明】
【図１】  本発明の参考例の内視鏡用噴霧具の先端部分の側面断面図である。
【図２】  図１におけるII−II断面図である。
【図３】  本発明の参考例のスクリュー体の単体の正面図である。
【図４】  本発明の実施の形態の内視鏡用噴霧具の先端部分の側面断面図である。
【図５】  従来の内視鏡用噴霧具の先端部分の側面断面図である。
【符号の説明】
１  先端ノズル
２  送液管
１０  噴出孔
１１  ノズル本体
１２  先端キャップ
１４  スクリュー体
１５  螺旋溝
２０  液体回転室
【図１】
0004390326.tif 000002
【図２】
0004390326.tif 000003
【図３】
0004390326.tif 000004
【図４】
0004390326.tif 000005
【図５】
0004390326.tif 000006